(57)【要約】【課題】各処理の間で溶銑を搬送するための溶銑鍋の物流を簡素化できると共に、溶銑鍋の管理等も簡単にすることができる。【解決手段】払い出しステーション２と、脱硫ステーション３と、脱りん炉４と、脱炭炉５とを有し、払い出しステーション２から脱硫ステーション３に溶銑鍋７を搬送する第１搬送手段と、脱硫ステーション３で脱硫処理に用いた溶銑鍋７を脱硫ステーション３から脱りん炉４の炉前に搬送する第２搬送手段と、脱りん炉４に溶銑を装入後、空となった溶銑鍋７を脱りん炉４の炉前から脱りん炉４の炉裏に搬送する第３搬送手段と、脱りん炉４の炉裏にて脱りん処理後の溶銑が装入された溶銑鍋７を脱炭炉５の炉前に搬送する第４搬送手段と、脱炭炉５に溶銑を装入後、空となった溶銑鍋７を脱炭炉５の炉前から払い出しステーション２に搬送する第５搬送手段とを備えている。【選択図】図１
2014201749.tif 000002
【特許請求の範囲】
【請求項１】
溶銑鍋に溶銑の払い出しを行う払い出しステーションと、
前記溶銑の脱硫処理を行う脱硫ステーションと、
前記溶銑の脱りん処理を行う脱りん炉と、
前記溶銑の脱炭処理を行う脱炭炉と、を有し、
前記払い出しステーションから前記脱硫ステーションに溶銑鍋を搬送する第１搬送手段と、
前記脱硫ステーションで脱硫処理に用いた溶銑鍋を脱硫ステーションから脱りん炉の炉前に搬送する第２搬送手段と、
前記脱りん炉に溶銑を装入後、空となった溶銑鍋を脱りん炉の炉前から脱りん炉の炉裏に搬送する第３搬送手段と、
前記脱りん炉の炉裏にて脱りん処理後の溶銑が装入された溶銑鍋を前記脱炭炉の炉前に搬送する第４搬送手段と、
前記脱炭炉に溶銑を装入後、空となった溶銑鍋を前記脱炭炉の炉前から前記払い出しステーションに搬送する第５搬送手段と、
を備えていることを特徴とする溶銑処理工場。
【請求項２】
前記脱硫ステーションから脱りん炉の炉前に搬送される溶銑鍋と、脱りん炉の炉前から脱りん炉の炉裏に搬送される溶銑鍋とは、同一の溶銑鍋であることを特徴とする請求項１に記載の溶銑処理工場。
【請求項３】
前記払い出しステーションから脱硫ステーションに搬送される溶銑鍋と、脱硫ステーションから脱りん炉の炉前に搬送される溶銑鍋と、脱りん炉の炉前から脱りん炉の炉裏に搬送される溶銑鍋と、脱りん炉の炉前から脱炭炉の炉前に搬送される溶銑鍋と、脱炭炉の炉前から払い出しステーションに搬送される溶銑鍋は、同一の溶銑鍋であることを特徴とする請求項１又は２に記載の溶銑処理工場。
【請求項４】
前記第１搬送手段及び第２搬送手段は、前記払い出しステーションと脱硫ステーションと脱りん炉との間を移動自在な搬送クレーンを備え、
前記第３搬送手段、第４搬送手段及び第５搬送手段は、前記脱りん炉と脱炭炉と払い出しステーションとの間を移動自在な搬送台車を備えていることを特徴とする請求項１〜３のいずれかに記載の溶銑処理工場。
【請求項５】
前記第４搬送手段及び第５搬送手段は、前記搬送台車を牽引する機関車を備えていることを特徴とする請求項４に記載の溶銑処理工場。
【請求項６】
前記脱りん炉が複数設けられているに際しては、前記複数の脱りん炉のそれぞれに第３搬送手段が配備されており、
前記第４搬送手段及び第５搬送手段は、複数の溶銑鍋を同時に搬送可能とされていることを特徴とする請求項１〜５のいずれかに記載の溶銑処理工場。
【発明の詳細な説明】
【技術分野】
【０００１】
本発明は、高炉等から出銑された溶銑の処理を行う溶銑処理工場に関する。
【背景技術】
【０００２】
周知の通り、高炉等から出銑された溶銑は、混銑車や溶銑鍋に装入され溶銑の処理を行う処理工場（処理設備）に搬送される。処理工場では、例えば、溶銑の脱硫処理、脱りん処理、脱炭処理などが行われている。脱硫処理、脱りん処理、脱炭処理などは、それぞれ異なる場所で行われるため、各処理間では、溶銑鍋に溶銑を装入して搬送されるのが一般的である。処理工場として、特許文献１や特許文献２に示すものがある。
【０００３】
特許文献１では、転炉製鋼工場（処理工場）内に、脱りん炉（溶銑予備処理炉）を配備すると共に、脱炭炉を配備している。このような転炉製鋼工場にて脱りん処理や脱炭処理を行うためには、脱りん炉に溶銑を装入するための溶銑鍋、脱りん炉で脱りん処理した溶銑を受銑して脱炭炉まで搬送するための溶銑鍋、或いは、脱炭炉で脱炭処理した溶鋼を受鋼するための取鍋等、複数の鍋が必要になる。特許文献１では、例えば、脱りん炉に溶銑を装入するための溶銑鍋（第１溶銑鍋）と、脱りん炉からの溶銑を受銑するための溶銑鍋（第２溶銑鍋）とを処理工場内にそれぞれ複数用意し、各第１溶銑鍋、各第２溶銑鍋をクレーン等で移動させることにより溶銑を搬送している。
【０００４】
特許文献２でも、特許文献１と同様に、製鋼工場内（処理工場）に脱りん炉及び脱炭炉を配備し、複数の第１溶銑鍋や複数の第２溶銑鍋をクレーン等で移動させている。
【先行技術文献】
【特許文献】
【０００５】
【特許文献１】特許第２７６８２０９号公報
【特許文献２】特開２００６−１１７９６８号公報
【発明の概要】
【発明が解決しようとする課題】
【０００６】
特許文献１及び２では、脱りん炉よりも下流側では、第１溶銑鍋をクレーン等により移動できるようにし、脱りん炉と脱炭炉との間では、第２溶銑鍋をクレーン等によって移動できるようにすることにより、脱りん炉への溶銑の装入、脱りん炉から出銑した溶銑を脱炭炉まで搬送することができるようにしている。
しかしながら、特許文献１や２では、第１溶銑鍋や第２溶銑鍋のように、用途に分けて２種類の溶銑鍋を複数用意しなければならないため、溶銑を搬送するための溶銑鍋の物流が非常に複雑になってしまっているのが実情である。
【０００７】
加えて、１チャージの溶銑処理に溶銑鍋を２種類利用するデメリットとしては、更に、以下の３点が挙げられる。
（１）１チャージあたりの溶銑量の低下
溶銑鍋は通常同じ容量で作成されるが、利用し続けると地金等が付着することで、容量が減少し各鍋の容量は異なってくる。溶銑を異なる２種類の鍋で受け渡しするため、その量は容量の小さな鍋に合せる必要があり、結果として、１チャージあたりの溶銑量が少なくなってしまう。
【０００８】
（２）溶銑鍋の寿命管理の複雑さ
溶銑鍋は利用し続けると損耗するため、それが一定の限界に達した場合は、修理する必要がある。ところが、第１溶銑鍋と第２溶銑鍋では、利用される溶銑の状態（脱燐されているか否か）、溶銑を保持する時間（保持したまま脱硫を行うか否か）が異なるため、地金の付着度合いや、耐火物の損耗具合が異なってくる。そのため、第１溶銑鍋と第２溶銑鍋の寿命管理を別々に行う必要があり、間違えた場合には漏銑のおそれが発生する。
【０００９】
（３）他のチャージの成分影響を受ける度合いが大きい
溶銑鍋から脱燐炉や転炉に払出した場合でも、若干の溶銑が鍋の中に残る可能性がある。そのため、当該チャージが前回処理したチャージの成分の影響を受ける場合がある。従って、溶銑鍋を２種類使う場合、それぞれの鍋で１回前に処理されたチャージの影響を受けるため、２種類のチャージの影響を受ける可能性がある。
【００１０】
そこで、本発明は、上記問題に鑑み、各処理の間で溶銑を搬送するための溶銑鍋の物流
を簡素化できると共に、溶銑鍋の管理等も簡単にすることができる溶銑処理工場を提供することを目的とする。
【課題を解決するための手段】
【００１１】
前記目的を達成するため、本発明においては以下の技術的手段を講じた。
すなわち、本発明にかかる溶銑処理工場は、溶銑鍋に溶銑の払い出しを行う払い出しステーションと、前記溶銑の脱硫処理を行う脱硫ステーションと、前記溶銑の脱りん処理を行う脱りん炉と、前記溶銑の脱炭処理を行う脱炭炉とを有し、前記払い出しステーションから前記脱硫ステーションに溶銑鍋を搬送する第１搬送手段と、前記脱硫ステーションで脱硫処理に用いた溶銑鍋を脱硫ステーションから脱りん炉の炉前に搬送する第２搬送手段と、前記脱りん炉に溶銑を装入後、空となった溶銑鍋を脱りん炉の炉前から脱りん炉の炉裏に搬送する第３搬送手段と、前記脱りん炉の炉裏にて脱りん処理後の溶銑が装入された溶銑鍋を前記脱炭炉の炉前に搬送する第４搬送手段と、前記脱炭炉に溶銑を装入後、空となった溶銑鍋を前記脱炭炉の炉前から前記払い出しステーションに搬送する第５搬送手段と、を備えていることを特徴とする。
【００１２】
前記脱硫ステーションから脱りん炉の炉前に搬送される溶銑鍋と、脱りん炉の炉前から脱りん炉の炉裏に搬送される溶銑鍋とは、同一の溶銑鍋であることが好ましい。
前記払い出しステーションから脱硫ステーションに搬送される溶銑鍋と、脱硫ステーションから脱りん炉の炉前に搬送される溶銑鍋と、脱りん炉の炉前から脱りん炉の炉裏に搬送される溶銑鍋と、脱りん炉の炉前から脱炭炉の炉前に搬送される溶銑鍋と、脱炭炉の炉前から払い出しステーションに搬送される溶銑鍋は、同一の溶銑鍋であることが好ましい。
【００１３】
前記第１搬送手段及び第２搬送手段は、前記払い出しステーションと脱硫ステーションと脱りん炉との間を移動自在な搬送クレーンを備え、前記第３搬送手段、第４搬送手段及び第５搬送手段は、前記脱りん炉と脱炭炉と払い出しステーションとの間を移動自在な搬送台車を備えていることが好ましい。
前記第４搬送手段及び第５搬送手段は、前記搬送台車を牽引する機関車を備えていることが好ましい。
【００１４】
前記脱りん炉が複数設けられているに際しては、前記複数の脱りん炉のそれぞれに第３搬送手段が配備されており、前記第４搬送手段及び第５搬送手段は、複数の溶銑鍋を同時に搬送可能とされていることが好ましい。
【発明の効果】
【００１５】
本発明によれば、各処理の間で溶銑を搬送するための溶銑鍋の物流を簡素化できると共に、溶銑鍋の管理等も簡単にすることができる。
【図面の簡単な説明】
【００１６】
【図１】溶銑処理工場の模式図である。
【図２】脱りん炉を２基有する溶銑処理工場の模式図である。
【発明を実施するための形態】
【００１７】
以下、本発明の実施形態に係る溶銑処理工場について、図面に基づき説明する。
図１に示すように、溶銑処理工場１は、２つの建屋（複数の立屋）から構成されている。１つ目の建屋（第１建屋という）１Ａと、２つ目の建屋（第２建屋という）１Ｂとは、互いに離れていて、それぞれの第１建屋１Ａ、第２建屋１Ｂに、高炉から出銑された溶銑に対して様々な処理等を行う設備が配備されている。
【００１８】
具体的には、第１建屋１Ａには、２つの払い出しステーション２と、脱硫ステーション３と、脱りん炉４とが配備され、第２建屋１Ｂには、脱炭炉５が配備されている。
払い出しステーション２は、例えば、高炉から出銑した溶銑を搬送する混銑車６内の溶銑を、溶銑鍋７に装入する箇所であって、溶銑を受けるための溶銑鍋７を置く払い出しピットが設けられている。
【００１９】
脱硫ステーション３は、払い出しステーション２の下流側に配置されるもので、払い出しステーション２で溶銑鍋７に払い出された溶銑に対して脱硫処理を行う箇所である。この脱硫ステーション３では、例えば、溶銑が装入された溶銑鍋７内に、溶銑を撹拌するイ
ンペラを挿入し、インペラを回転させて溶銑を撹拌しながら脱硫材を当該溶銑に供給することにより、溶銑の脱硫を行うことができる（ＫＲ脱硫処理）。
【００２０】
脱りん炉４は、脱硫処理が終了した溶銑に対して脱りん処理を行うものである。この脱りん炉４では、脱硫処理が終了後の溶銑を脱りん炉４の炉前で装入した後、上吹きランスで酸素を吹き込みながら脱りん剤を投入することにより、溶銑の脱りんを行うことができる。
脱炭炉５は、脱りん処理が終了した溶銑に対して脱炭処理を行うものである。この脱炭炉５では、脱りん処理終了後の溶銑を脱炭炉５の炉前で装入した後、上吹きランスで酸素を吹き込みながら脱炭剤を投入することにより、溶銑の脱炭を行うことができる。
【００２１】
さて、払い出しステーション２と脱硫ステーション３との間には、払い出しステーション２から脱硫ステーション３まで溶銑鍋７を搬送するための第１搬送手段が備えられている。具体的には、第１搬送手段は、払い出しステーション２と脱硫ステーション３との間を移動する搬送クレーンを第１建屋１Ａの天井側に設けることにより構成されている。この搬送クレーンによって払い出しステーション２にある溶銑鍋７を吊り上げ、鍋吊り上げ状態の搬送クレーンを自走させることにより、払い出しステーション２で払い出された溶銑が装入された溶銑鍋７を、脱硫ステーション３まで搬送することができる。
【００２２】
脱硫ステーション３と脱りん炉４との間には、脱硫ステーション３から脱りん炉４まで溶銑鍋７を搬送するための第２搬送手段が備えられている。具体的には、第２搬送手段は、払い出しステーション２と脱硫ステーション３との間を移動する搬送クレーンを、さらに、脱硫ステーション３から脱りん炉４の炉前まで移動可能にすることにより構成されている。この搬送クレーンによって脱硫処理後の溶銑が装入された溶銑鍋７を脱硫ステーション３で吊り上げ、鍋吊り上げ状態の搬送クレーンを自走させることにより、溶銑鍋７を脱硫ステーション３から脱りん炉４の炉前まで搬送することができる。
【００２３】
即ち、上述した第１搬送手段及び第２搬送手段は、払い出しステーション２と脱硫ステーション３と脱りん炉４との間を移動自在な搬送クレーンを備えたものとなっており、この搬送クレーン及び各ステーションによって、溶銑の払い出し→溶銑鍋７の搬送→脱硫処理→溶銑鍋７の搬送→脱りん炉４へ溶銑装入といった一連の作業を効率よく行うことができる。
【００２４】
さて、脱りん炉４の炉前で、溶銑鍋７の溶銑を当該脱りん炉４に装入すると、溶銑鍋７は空になるが、本発明の溶銑処理工場１では、その空になった溶銑鍋７を脱りん炉４の炉裏に搬送する第３搬送手段を備えており、この第３搬送手段により、空の溶銑鍋７は炉裏に移送可能となっている。
具体的には、第３搬送手段は、脱りん炉４の下側であって、少なくとも脱りん炉４の炉前から脱りん炉４の炉裏に敷設された軌道（例えば、レール）と、この軌道上を移動すると共に空の鍋を搭載可能な搬送台車８とを備えている。脱りん炉４の炉前にて空になった溶銑鍋７を、搬送クレーンによって脱りん炉４の炉前に位置する搬送台車８に搭載した後、この搬送台車８を脱りん炉４の炉裏に移動させることにより、空となった溶銑鍋７を脱りん炉４の炉前から脱りん炉４の炉裏に搬送することができる。搬送台車８は、脱りん炉４の炉裏において、溶銑を受銑する位置で停止する。
【００２５】
これから分かるように、脱硫ステーション３から脱りん炉４の炉前に搬送された溶銑鍋７は、第３搬送手段によって、脱りん炉４の炉前から脱りん炉４の炉裏に搬送されるため、脱りん炉４に溶銑を装入する溶銑鍋と、脱りん炉４から払い出される溶銑鍋とは同一の溶銑鍋７となる。そのため、脱りん炉４に溶銑を装入するための溶銑鍋と、脱りん炉４から出銑される溶銑を受銑するための溶銑鍋とを別々に用意する必要がないため、溶銑処理工場１全体のスケジュールが立てやすくスムーズに溶銑の処理を行うことができる。
【００２６】
脱りん処理後の溶銑が搬送台車８上の溶銑鍋７に払い出された後は、この溶銑鍋７は、脱炭処理を行うため脱炭炉５に搬送される。即ち、溶銑処理工場１は、脱りん処理後の溶銑が払い出された後に払い出された溶銑が装入された溶銑鍋７を脱炭炉５の炉前に搬送する第４搬送手段を備えている。
具体的には、第４搬送手段は、第１建屋１Ａ内にある脱りん炉４の炉裏から第２建屋１
Ｂの脱炭炉５まで敷設した軌道と、この軌道上を移動すると共に脱りん炉４から払い出された溶銑が装入された溶銑鍋７を搭載可能な搬送台車８と、軌道上を移動すると共に搬送台車８を牽引する機関車９とを備えている。なお、脱りん炉４の炉前から炉裏に敷設された軌道をさらに第１建屋１Ａを出て第２建屋１Ｂの脱炭炉５の炉前まで延設することにより、第４搬送手段の軌道を構成してもよい。
【００２７】
脱りん炉４の炉裏で搬送台車８を停止させた状態で、搬送台車８上の溶銑鍋７に脱りん処理後の溶銑を払い出し、その後、搬送台車８を機関車９で牽引しながら第２建屋１Ｂの脱炭炉５の炉前まで移動させることにより、脱りん処理後の溶銑が装入された溶銑鍋７を脱りん炉４の炉裏から脱炭炉５の炉前まで搬送することができる。搬送台車８は、脱炭炉５の炉前において、溶銑を脱炭炉５に装入する位置で停止する。搬送台車８上の溶銑鍋７を、第２建屋１Ｂに設置した搬送クレーンで吊り上げ、吊り上げた溶銑鍋７を傾動することにより、溶銑鍋７の溶銑を脱炭炉５に装入することができる。
【００２８】
脱炭炉５の炉前で、溶銑鍋７の溶銑を当該脱炭炉５に装入すると、溶銑鍋７は空になるが、本発明の溶銑処理工場１では、その空になった溶銑鍋７を再び払い出しステーション２に搬送する第５搬送手段を備えている。
具体的には、第５搬送手段は、脱炭炉５の炉前から第１建屋１Ａの払い出しステーション２まで敷設した軌道と、この軌道上を移動すると共に空の溶銑鍋７を搭載可能な搬送台車８と、軌道上を移動すると共に搬送台車８を牽引する機関車９とを備えている。なお、脱りん炉４の炉裏から脱炭炉５の炉前に敷設された軌道を、さらに第２建屋１Ｂを出て第１建屋１Ａの払い出しステーション２まで延設することにより、第５搬送手段の軌道を構成してもよい。
【００２９】
脱炭炉５に溶銑を装入することにより空となった溶銑鍋７を、搬送クレーンによって脱炭炉５の炉前で停止した搬送台車８上に載置し、その後、その後、搬送台車８を機関車９で牽引しながら第１建屋１Ａの払い出しステーション２まで移動させることにより、脱炭炉５に溶銑を装入することにより空となった溶銑鍋７を、脱炭炉５の炉前から払い出しステーション２まで搬送することができる。搬送台車８は、払い出しステーション２において、溶銑の払い出しを行う位置（払い出しピット）で停止する。
【００３０】
これから分かるように、脱りん炉４の炉前から脱りん炉４の炉裏に搬送された溶銑鍋７は、第４搬送手段によって脱りん炉４の炉裏から脱炭炉５の炉前に搬送され、この溶銑鍋７は脱炭炉５への溶銑の払い出しが終了後、さらに、第５搬送手段によって脱炭炉５の炉前から払い出しステーション２へと搬送される。即ち、払い出しステーション２で溶銑を受銑した溶銑鍋７は、まず、払い出しステーション２から脱硫ステーション３に移動し、脱硫ステーション３から脱りん炉４に移動し、さらに、脱りん炉４から脱炭炉５を経て、再び払い出しステーション２に戻るものとなっている。そのため、溶銑鍋７を移動させるための複雑な物流スケジュールを構築する必要がなく、溶銑処理工場１における溶銑鍋７等の物流を簡素化することができ、生産性等を向上させることができる。
【００３１】
また、払い出しステーション２から脱硫ステーション３を経て脱りん炉４へと溶銑を搬送するための溶銑鍋７と、脱りん処理が終了した溶銑を脱炭炉５まで搬送するための溶銑鍋７とを別々に用意する必要がなく、１つの溶銑鍋７だけで、払い出しから脱りん炉４を経て脱炭炉５までの溶銑の搬送を行うことが可能となり、溶銑鍋７の管理が非常に行い易い。
【００３２】
例えば、払い出しステーション２から脱硫ステーション３を経て脱りん炉４へと溶銑を搬送するための溶銑鍋７（第１溶銑鍋７という）と、脱りん処理が終了した溶銑を脱炭炉５まで搬送するための溶銑鍋７（第２溶銑鍋７という）とを別々に用いた場合、第１溶銑鍋７では、溶銑の搬送だけでなく脱硫処理を行い、第２溶銑鍋７では脱りん炉４から脱炭炉５までの溶銑の搬送を行う、このようなことから、第１溶銑鍋７における耐火物の溶損と、第２溶銑鍋７における耐火物の溶損とが異なるため、それぞれの溶銑鍋７を整備するタイミングが異なってしまい、溶銑鍋７を管理するスケジュールが複雑となる。これに加え、物流が複雑であることから、様々な状況に対応するため、複数の第１溶銑鍋７を払い出しステーション２から脱りん炉４間で用意し、複数の第２溶銑鍋７を脱りん炉４から脱
炭炉５間で用意しておく必要が多くなる。同じ種類（目的）の溶銑鍋７を、各箇所に用意しておかなければならず、１つ１つの溶銑鍋７を個別に管理することが難しくなる。
【００３３】
しかも、同じ種類（目的）の溶銑鍋７を数多く用意した場合、地金付着等の影響によって各溶銑鍋７毎に容量が異なる場合があり、運搬する溶銑量が制限される虞がある。
このようなことからも、１つの溶銑鍋７で、払い出しステーション２から脱硫ステーション３、脱りん炉４、脱炭炉５を経て、再び払い出しステーション２に戻るようにすれば、上述したような問題をなくることができる。
【００３４】
従来から、脱りん炉４の炉前側と炉裏側とは、それぞれで行われる工程を明確に区別しており、炉前側の溶銑鍋７と炉裏側の溶銑鍋７とを同一のもの（１種類の取鍋）とすることはなかった。しかしながら、前述した如く、本発明の溶銑処理工場１においては、溶銑鍋７の種類をあえて１つとし、１種類の溶銑鍋をハンドリングする第１搬送手段〜第５搬送手段を設けることで、溶銑を異なる２種類の鍋で受け渡しする際に容量の小さな鍋に合せる必要があるといった不都合を回避して、１チャージあたりの溶銑量の低下を避けることができるようになった。加えて、溶銑鍋７の種類が１つであれば、全ての鍋が同じように利用されるため、ひとつの基準で寿命を管理できるようになった。溶銑鍋７の種類が１つであるため、払出から脱炭炉５装入まで１つの種類で処理される場合であれば、他のチャージの成分影響を受ける度合いは最小限（１種類のチャージだけ）で済むものとなる。［変形例］
以上述べた実施形態では、溶銑処理工場１の第１建屋１Ａには、１基の脱りん炉４が配備されていたが、以下、変形例として述べる溶銑処理工場１の第１建屋１Ａには、複数（例えば２基）の脱りん炉４が配備される。
【００３５】
この状況に対応すべく、複数の脱りん炉４のそれぞれに第３搬送手段が配備されている。
詳しくは、２基の脱りん炉４の各々において、脱りん炉４の下側であって、少なくとも脱りん炉４の炉前から脱りん炉４の炉裏に敷設された軌道と、この軌道上を移動すると共に空の鍋を搭載可能な搬送台車８とを備えている。
【００３６】
脱りん炉４が２基にも関わらず、第３搬送手段が１台（１系統）だけであると、空の溶銑鍋７を搬送するに際して待ち時間が発生することがある。その場合、脱りん炉４からの出湯を遅らせるのみならず、炉前で空の溶銑鍋を保持したクレーンが他の搬送作業に従事できなかったり、他のクレーンの動きの邪魔になるといった虞がある。変形例のように、第３搬送手段が２系統（２系統以上）あることで、係る不都合を確実に回避できる。
【００３７】
さらに、図２に示す如く、第４搬送手段及び第５搬送手段は、複数の溶銑鍋を同時に搬送可能に構成されている。
詳しくは、第４搬送手段は、軌道上を移動すると共に脱りん炉４から払い出された溶銑が装入された溶銑鍋７を搭載可能な搬送台車８と、軌道上を移動すると共に搬送台車８を牽引する機関車９とを備えている。第５搬送手段も、空の溶銑鍋７を搭載可能な搬送台車８と、軌道上を移動すると共に搬送台車８を牽引する機関車９とを備えている。
【００３８】
脱りん炉４が２基の場合、これら搬送台車８は、２基乃至は２基以上の溶銑鍋７を搭載可能とされている。
例えば、第４搬送手段の搬送台車８が１基の溶銑鍋７しか搬送できないと、脱りん炉４での処理ピッチに間に合わず、脱りん炉４の炉裏で溶銑が滞留し、脱りん処理ができない状況が発生する虞がある。同じく、第５搬送手段の搬送台車８が１基の溶銑鍋７しか搬送できないと、脱りん炉４の処理ピッチにあわせた、ＫＲ脱硫の処理ピッチ、更には、それに合わせた混銑車６からの溶銑払出の遅れが発生する虞がある。
【００３９】
しかしながら、変形例のように、第４搬送手段及び第５搬送手段が、２基（２基以上）の溶銑鍋を同時に搬送可能に構成されていることで、係る不都合を確実に回避できるようになる。
なお、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能
な事項を採用している。
【符号の説明】
【００４０】
１  溶銑処理工場
１Ａ  第１建屋
１Ｂ  第２建屋
２  払い出しステーション
３  脱硫ステーション
４  脱りん炉
５  脱炭炉
６  混銑車
７  溶銑鍋
８  搬送台車
９  機関車
【図１】
2014201749.tif 000003
【図２】
2014201749.tif 000004